(57)【特許請求の範囲】
【請求項１】
名称が表記された複数の候補ボタンを有する名称選択画面を提示して顧客にいずれかの候補ボタンを選択させる自動取引装置において、
上記名称選択画面の構成を複数の構成に対応可能とし、複数の構成の中から、顧客に提示する名称選択画面が適用する構成を定める名称選択画面構成決定手段を有し、
上記名称選択画面構成決定手段は、各候補ボタンに表記される名称文字列の最大文字数が第１の所定値以下の場合には、全ての候補ボタンのサイズが同一で全ての候補ボタンに表記されている文字サイズが同一である標準構成の名称選択画面を提示するものに決定し、各候補ボタンに表記される名称文字列の最大文字数が第１の所定値を超えている場合には、複数の構成の中から予め設定された構成の名称選択画面を提示するものに決定し、
上記複数の構成は、上記標準構成と比較して第１の所定値を超えた文字数の候補ボタンの表記文字の文字サイズついて、複数の文字サイズから１の文字サイズを選び、そのサイズに表記文字の文字サイズを縮小する第１の構成であることを特徴とする自動取引装置。
【請求項２】
上記複数の構成は、上記標準構成と比較して全ての候補ボタンのボタンサイズが標準構成でのボタンサイズより大きい第２の構成と、第１の所定値を超えた文字数の候補ボタンについては超えた文字列部分を削除する第３の構成と、各候補ボタンが表記文字数に応じたボタンサイズを有する第４の構成であることを特徴とする請求項１に記載の自動取引装置。
【請求項３】
名称が表記された複数の候補ボタンを有する名称選択画面を提示して顧客にいずれかの候補ボタンを選択させる自動取引装置において、
上記名称選択画面の構成を複数の構成に対応可能とし、複数の構成の中から、顧客に提示する名称選択画面が適用する構成を定める名称選択画面構成決定手段を有し、
上記名称選択画面構成決定手段は、候補ボタンの数と１画面当たりの候補ボタンの表示数から必要画面数を算出し、算出した必要画面数が第２の所定値以下の場合には、全ての候補ボタンのサイズが同一で全ての候補ボタンに表記されている文字サイズが同一である標準構成の名称選択画面を提示するものに決定し、算出した必要画面数が第２の所定値を超えている場合には、複数の構成の中から予め設定された構成の名称選択画面を提示するものに決定することを特徴とする自動取引装置。
【請求項４】
上記複数の構成は、上記標準構成より文字サイズ及び候補ボタンのサイズが小さい第５の構成と、上記標準構成より１候補ボタンに表記する文字数が少なくかつ候補ボタンのサイズも小さい第６の構成であることを特徴とする請求項３に記載の自動取引装置。
【請求項５】
上記標準構成は、全ての候補ボタンが行列状に配置されていることを特徴とする請求項１〜４のいずれかに記載の自動取引装置。
【発明の詳細な説明】
【技術分野】
【０００１】
本発明は、自動取引装置に関し、例えば、自動取引装置（ＡＴＭ；Ａｕｔｏｍａｔｉｃ  Ｔｅｌｌｅｒ  Ｍａｃｈｉｎｅ）による振込取引の振込先の入力方法に適用し得るものである。
【背景技術】
【０００２】
自動取引装置やインターネットバンキングやネット決済システム等の取引システム（自動取引装置）においては、金融機関名や本支店名を含めた口座情報を入力しなければならないことも多い。また、公共料金等の自動振替の契約を行う自動振替契約システムも、金融機関名や本支店名を含めた口座情報を入力しなければならないこともある。
【０００３】
例えば、自動取引装置における振込取引では、振込先の口座情報を入力しなければならない。従来、顧客に金融機関や本支店を特定させるための技術として、例えば、特許文献１に記載されている技術が知られている。この技術では、まず、カナ文字を表示し、顧客に、選択したい金融機関若しくは本支店の名称の読み方の先頭に有するカナ文字を選択させる。次いで、選択されたカナ文字を、その名称の読み方の先頭に有する金融機関名や本支店名を一覧表示する。
【先行技術文献】
【特許文献】
【０００４】
【特許文献１】特開平９−１９８４６８
【発明の概要】
【発明が解決しようとする課題】
【０００５】
しかしながら、金融機関名や本支店名を一覧表示する場合、金融機関名と本支店名のボタンアイコン（以下、ボタンと呼ぶ）を表示するためには、以下のような課題があり、顧客が見にくい画面となっていた。以下で、「名称」とは、金融機関名若しくは本支店名を言う。
【０００６】
（１）ボタンサイズを名称の中の最大文字数に合せて固定する場合
文字数が少ない名称のボタンには空白部分が多くなり、画面上に無駄な余白が発生する。また、１画面で表示できるボタン数が少ない場合、表示するボタン数が多ければ、複数の画面を使用して全てのボタンを表示しなければならない。
【０００７】
（２）ボタンサイズを最大文字数未満の文字数に合せて固定する場合
ボタン上に表示できる文字数が限定されるため、ボタンサイズを超える文字数が表示できず、文字数が多い金融機関名や支店名が途切れてしまう。この場合、全ての文字を表示するためにボタン上に表示する文字サイズを小さくすると、文字が見難くなってしまう。
【０００８】
そのため、複数の名称表記の候補ボタンを含む名称選択画面として標準的な画面で不十分な場合にも、適切に対応でき、顧客の操作性を向上できる自動取引装置が望まれている。
【課題を解決するための手段】
【０００９】
第１の本発明は、名称が表記された複数の候補ボタンを有する名称選択画面を提示して顧客にいずれかの候補ボタンを選択させる自動取引装置において、上記名称選択画面の構成を複数の構成に対応可能とし、複数の構成の中から、顧客に提示する名称選択画面が適用する構成を定める名称選択画面構成決定手段を有し、上記名称選択画面構成決定手段は、各候補ボタンに表記される名称文字列の最大文字数が第１の所定値以下の場合には、全ての候補ボタンのサイズが同一で全ての候補ボタンに表記されている文字サイズが同一である標準構成の名称選択画面を提示するものに決定し、各候補ボタンに表記される名称文字列の最大文字数が第１の所定値を超えている場合には、複数の構成の中から予め設定された構成の名称選択画面を提示するものに決定し、上記複数の構成は、上記標準構成と比較して第１の所定値を超えた文字数の候補ボタンの表記文字の文字サイズついて、複数の文字サイズから１の文字サイズを選び、そのサイズに表記文字の文字サイズを縮小する第１の構成であることを特徴とする。
【００１０】
第２の本発明は、名称が表記された複数の候補ボタンを有する名称選択画面を提示して顧客にいずれかの候補ボタンを選択させる自動取引装置において、上記名称選択画面の構成を複数の構成に対応可能とし、複数の構成の中から、顧客に提示する名称選択画面が適用する構成を定める名称選択画面構成決定手段を有し、上記名称選択画面構成決定手段は、候補ボタンの数と１画面当たりの候補ボタンの表示数から必要画面数を算出し、算出した必要画面数が第２の所定値以下の場合には、全ての候補ボタンのサイズが同一で全ての候補ボタンに表記されている文字サイズが同一である標準構成の名称選択画面を提示するものに決定し、算出した必要画面数が第２の所定値を超えている場合には、複数の構成の中から予め設定された構成の名称選択画面を提示するものに決定することを特徴とする。
【発明の効果】
【００１２】
本発明によれば、複数の名称表記の候補ボタンを含む名称選択画面として標準的な画面で不十分な場合にも、適切に対応でき、顧客の操作性を向上することできる。
【図面の簡単な説明】
【００１３】
【図１】実施形態の自動取引装置における制御系の構成を示すブロック図である。
【図２】実施形態の自動取引装置におけるボタン調整用設定データの構成例を示す説明図である。
【図３】実施形態の自動取引装置における振込取引の特徴動作（振込先選択動作）を示すフローチャートである。
【図４】実施形態の自動取引装置における振込取引での金融機関種別選択画面を示す説明図である。
【図５】実施形態の自動取引装置における振込取引での金融機関頭文字選択画面を示す説明図である。
【図６】実施形態の自動取引装置における振込取引での金融機関名選択画面の調整例（１）を示す説明図である。
【図７】実施形態の自動取引装置における振込取引での金融機関名選択画面の調整例（２）を示す説明図である。
【図８】実施形態の自動取引装置における振込取引での金融機関名選択画面の調整例（３）を示す説明図である。
【図９】実施形態の自動取引装置における振込取引での金融機関名選択画面の調整例（４）を示す説明図である。
【図１０】実施形態の自動取引装置における振込取引での金融機関名選択画面の調整例（５）を示す説明図である。
【図１１】実施形態の自動取引装置における振込取引での金融機関名選択画面の調整例（６）を示す説明図である。
【発明を実施するための形態】
【００１４】
（Ａ）主たる実施形態
以下、本発明による自動取引装置を、自動取引装置（ＡＴＭ）に適用した一実施形態を、図面を参照しながら説明する。
【００１５】
（Ａ−１）実施形態の構成
図１は、実施形態の自動取引装置１における制御系の構成を示すブロック図である。
【００１６】
図１において、自動取引装置１は、各部の制御を司る主制御部２０と、顧客の操作により各種の入力を行なうと共に、操作ガイダンス等が表示される上述した表示・入力部２１、顧客から生体情報を読取って認証処理する生体認証部２２、キャッシュカード等のカードに記録された情報のリードライトを行うカード処理部２３、操作ガイダンス等を音声出力する音声案内部２４、通帳の磁気ストライプのリードライトや通帳への印字制御を行う通帳処理部２５、取引明細を明細票に印字して排出する明細票処理部２６、紙幣の取込みや排出を行う紙幣処理部２７、硬貨の取込みや排出を制御する硬貨処理部２８を有する。また、自動取引装置１は、各部に電源を供給する電源部２９、主制御部２０の記憶部としてのメモリ部３０、図示しない当該金融機関のホストコンピュータ等との通信を行う通信部３１を有する。
【００１７】
主制御部２０は、例えば、主にマイクロコンピュータなどで構成されており、当該自動取引装置１の動作全体を制御するものである。メモリ部３０は、例えば、プログラムメモリやワーキングメモリや設定データメモリとして適用される。主制御部２０（マイクロコンピュータ）は、プログラムメモリに格納されているプログラムや設定データメモリに設定されているデータに従い、ワーキングメモリを、情報を一時的に記憶するメモリとして用いながら、各部を制御する。
【００１８】
メモリ部３０に記憶されているプログラムとしては、振込取引プログラム３０ａ（図３参照）などがある。メモリ部３０に記憶されている設定データとしては、振込先入力用ファイルデータ３０ｂやボタン調整用設定データ３０ｃ（図２参照）などがある。メモリ部３０に適宜記憶される作業データ（ワーキングデータ）としては、金融機関名、本支店名、口座種類、口座番号、口座名義人などの振込先口座に係るデータがある。
【００１９】
ここで、振込先入力用ファイルデータ３０ｂは、図示は省略しているが、トップノードの下の階層に金融機関種別があり、各金融機関種別の下の階層に金融機関名のカナ表記での頭文字があり、各金融機関名頭文字の下の階層に金融機関名があり、各金融機関名の下の階層に本支店名のカナ表記での頭文字があり、各本支店名頭文字の下の階層に本支店名があるツリー状の構成をしているファイルデータである（後述する動作説明の項参照）。
【００２０】
図２は、ボタン調整用設定データ３０ｃの構成例を示す説明図である。
【００２１】
この実施形態の場合、ボタンサイズや文字サイズなどの調整は、表示文字数をパラメータとして調整することもできれば、表示画面数をパラメータとして調整することもできる。自動取引装置１に対して、予め、表示文字数をパラメータとして調整するか、表示画面数をパラメータとして調整するかを設定しておく。なお、ボタンサイズや文字サイズの標準的なサイズは予め設定されており、調整では、その標準的なサイズから変更することを行う。
【００２２】
図２における「第２項目」は「第１項目」より優先順位が低い項目であり、第１項目の調整方法を適用できない場合に適用される調整方法である。
【００２３】
表示文字数をパラメータとして調整する場合において、ボタンに記述しようとする文字列の中で最も文字数が多い文字数（最大文字数）が、第１項目最大値を超過している場合に、第２項目が適用される。第２項目によるボタンサイズや文字サイズなどの調整も、図２に示すように、「文字サイズ縮小」、「ボタンサイズ拡大」、「超過文字削除」、「ボタン毎のサイズ調整」がある。これら４つの調整方法のいずれを適用するかも、予め、金融機関の従業員などが設定しておくことである。各調整方法の具体的な方法については、後述する動作説明の項で明らかにする。
【００２４】
表示画面数をパラメータとして調整する場合において、候補の数から算出して必要となる画面数が、第１項目最大値を超過している場合に、第２項目が適用される。第２項目によるボタンサイズや文字サイズなどの調整も、図２に示すように、「文字サイズ縮小によるボタンサイズ縮小」、「表示文字数削除によるボタンサイズ縮小」がある。これら４つの調整方法のいずれを適用するかも、予め、金融機関の従業員などが設定しておくことである。各調整方法の具体的な方法については、後述する動作説明の項で明らかにする。
【００２５】
（Ａ−２）実施形態の動作
次に、実施形態に係る自動取引装置１の振込取引動作を説明する。ここで、図３は、自動取引装置１における振込取引の特徴動作（振込先選択動作）を示すフローチャートである。主制御部２０が、振込取引プログラム３０ａを実行することによって図３に示すような振込先選択動作を行う。
【００２６】
表示・入力部２１に図示しない取引選択画面を表示させているときに、顧客によって、「振込取引」が選択されると、主制御部２０は、振込取引動作を実行する。振込取引動作は、振込金額を現金で賄うか口座の残高から賄うかを選択させる動作や、口座の残高から賄う場合に通帳やキャッシュカードから口座を特定させる動作や、振込先を入力させる動作や、振込金額を指定させる動作や、振込先へ振込金額を移動させるためホストコンピュータ側と通信する動作などを含む。
【００２７】
この実施形態の自動取引装置１は、振込先を入力させる動作に特徴を有する。顧客が振込先を入力する方法としては、予め登録している過去に振込を行った振込先候補から選択する方法と、金融機関名や本支店名や口座種類や口座番号など振込先口座の情報を入力していく方法とがある。
【００２８】
振込先の入力動作に入り、振込先口座情報を入力する方法が選択されたときに、主制御部２０は、図３に示す動作を開始する。
【００２９】
この実施形態の場合、表示画面上に、振込先の金融機関を選択させるために金融機関名のボタンを表示させる場合、若しくは、振込先の本支店を選択させるために本支店名のボタンを表示させる場合、表示させるボタンの数、表示させる名称（金融機関名や本支店名）の最大文字数や設定値（図２）から、表示させるボタンのサイズなどを調整する。
【００３０】
以下では、表示文字数をパラメータとしてボタンサイズなどを調整することが設定されている場合の動作を説明し、その後、表示画面数をパラメータとしてボタンサイズなどを調整することが設定されている場合の動作を説明する。後者の動作説明では、前者との相違部分を中心に説明する。
【００３１】
主制御部２０は、振込先口座情報の入力段階になると、まず、振込先の金融機関種別（銀行、信用金庫、農業協同組合等）を選択させる複数のボタンを有する、図４に示すような金融機関種別選択画面を表示・入力部２１に表示させ、顧客が操作したボタンから、振込先の金融機関の種別を把握する（ステップＳ１０１）。振込先の金融機関種別の数がさほど多くないので、表示させるボタンのサイズなどを調整させることを行っていないが、後述する振込先の金融機関を選択させたり、振込先の本支店を選択させたりする場合と同様に、表示させるボタンのサイズなどを調整させるようにしても良い。
【００３２】
次に、主制御部２０は、金融機関名のカナ表記における頭文字を選択させるカナ文字ボタンの一覧を含む、図５に示すような金融機関頭文字選択画面を表示・入力部２１に表示させ、顧客が操作したボタンから、振込先の金融機関名の頭文字を把握する（ステップＳ１０２）。図５に示す金融機関頭文字選択画面は、どの金融機関種別が選択された場合でも共通に適用できるものである。選択された金融機関種別において、金融機関頭文字選択画面を変えるようにしても良い。例えば、顧客が選択した金融機関種別に属する金融機関の頭文字として存在しないカナ文字のボタンを表示しないようにしても良い。この場合、金融機関名の頭文字として存在するカナ文字の数に応じて、ボタンのサイズなどを調整するようにしても良い。また、顧客が選択した金融機関種別に属する金融機関数が少ない場合には、ステップＳ１０２をスキップして（金融機関頭文字選択画面を表示させずに）、後述するステップＳ１０３に移行するようにしても良い。
【００３３】
主制御部２０は、顧客が選択したカナ文字を、カナ表記における頭文字としている金融機関名（名称はカナ文字列には限定されない）を全て抽出し、抽出された金融機関名の数と、抽出された金融機関名の文字数の中で最も多い文字数（最大文字数）とを取得する（ステップＳ１０３）。
【００３４】
そして、主制御部２０は、取得した情報を適用して、金融機関名を選択させる選択画面として、図２に示したボタン調整用設定データ３０ｃの第１項目（標準方法）を適用できるか否かを判別する（ステップＳ１０４）。表示文字数をパラメータとしてボタンサイズなどを調整することが設定されている場合であれば、主制御部２０は、このステップＳ１０４において、抽出された金融機関名の最大文字数と、ボタン調整用設定データ３０ｃの第１項目に係る最大値とを比較し、最大文字数が第１項目に係る最大値以下であれば、金融機関名を選択させる選択画面として標準方法を適用できるとして、後述するステップＳ１０６に移行し、最大文字数が第１項目に係る最大値を超えていれば、金融機関名を選択させる選択画面としてボタンサイズなどを調整した画面を表示させるべく、後述するステップＳ１０５に移行する。
【００３５】
主制御部２０は、金融機関名を選択させる選択画面として、第１項目（標準方法）を適用できない場合には、第２項目による調整を行う（ステップＳ１０５）。なお、以下の説明で用いる金融機関名選択画面（図６〜図９参照）の表示自体は、後述するステップＳ１０６の処理で実行される。
【００３６】
（１−１）文字サイズを縮小して対応する場合
第２項目での調整方法として、文字サイズを縮小して対応する調整方法が設定されている場合には、文字数が第１項目に係る最大値を超えている金融機関名のそれぞれについて、超過分の文字がボタン内に表示できるように、ボタン上に表記する文字のサイズを縮小する。この際、ボタンのサイズは変更しない。縮小文字サイズとして適用できる最小文字サイズ（１０ｐｔ）が、図２に示すように決まっている。
【００３７】
図６は、このような調整がなされた場合となされない場合との金融機関名選択画面の例を示している。図６では、実際と異なり、金融機関名を数字列で表している（後述する図７〜図１１も同様）。かかる調整を実行しない場合には、図６（Ａ）に示すように、ボタン内に記述できる最大値（１２文字）を超えた１５文字の金融機関名は３文字がボタン領域を超えている。文字サイズを縮小する調整方法を適用すると、標準文字サイズで１２文字（第１項目の最大値）を表示できるボタン領域に、図６（Ｂ）に示すように、小さな文字サイズを適用することで１５文字を表示する。
【００３８】
（１−２）ボタンサイズを拡大して対応する場合
第２項目での調整方法として、ボタンサイズを拡大して対応する調整方法が設定されている場合には、文字数が第１項目に係る最大値を超えている金融機関名についても、超過分の文字がボタン内に表示できるように、全てのボタンのボタンサイズを同じボタンサイズに拡大する。この際、文字のサイズは変更しない。超過文字数が最も多い最大文字数の金融機関名もボタン内に表示できるようになることを意図してボタンサイズを拡大している。但し、図２に示すように、上限文字数（１５文字）は設定されており、この上限文字数を超えた文字は、ボタンサイズを拡大しても収まらないので削除する。また、ボタンサイズの拡大により、１画面に表示できるボタン数が減った場合は、１画面で表示するボタンの数とボタン配置を再調整する。
【００３９】
図７は、このような調整がなされた場合となされない場合との金融機関名選択画面の例を示している。調整がなされない場合は、上述した図６（Ａ）と同様である。ボタンサイズを拡大する調整方法を適用すると、標準文字サイズのままで、第１項目の最大値を超えた１５文字を、図７（Ｂ）に示すようにボタン領域に表示できる。ボタンサイズの変更により、第１項目の最大値以下の文字数の金融機関名を表記するボタンもサイズが拡大されている。
【００４０】
図７では、全ての金融機関名のボタンを拡大しているが、第１項目の最大値を超えた文字数の金融機関名を表記するボタンのサイズだけを変更するようにしても良い。
【００４１】
（１−３）超過分の文字を削除する場合
第２項目での調整方法として、超過分の文字を削除して対応する調整方法が設定されている場合には、文字数が第１項目に係る最大値を超えている金融機関名について、超過分の文字を削除する。この際、ボタンのサイズと文字のサイズは変更せず、標準サイズを適用する。
【００４２】
ここで、超過した文字を削除すると、同一名を表記するボタンが複数存在する可能性がある。例えば、「テストサンプル第一銀行」と「テストサンプル第二銀行」を最大８文字まで表示する場合、どちらの金融機関もボタン上の表記は「テストサンプル第」となり、同一名のボタンが２つ表示されることになる。このような場合、同一名のボタンは１つのみ表示し（上記の場合「テストサンプル第」と表示する）、ボタン押下後は、次の画面で「テストサンプル第一銀行」ボタンと「テストサンプル第二銀行」ボタンを表示して、どちらの金融機関も選択できるようにする。なお、「テストサンプル第」のような区切りが中途半端になってしまうものは、金融機関名に対して形態素解析などを適用して、言葉の区切りがいいところ（この場合は「テストサンプル第」ではなく「テストサンプル」）で区切るようにして表示するようにしても良い。削除により、同一名が複数生じる場合だけでなく、削除する場合に、上記のような言葉の区切りまで遡って削除するようにしても良い。このような場合、超過文字数より多い文字数が削除されることもあり得る。
【００４３】
図８は、このような調整がなされた場合となされない場合との金融機関名選択画面の例を示している。１５文字の金融機関名は、図８（Ｂ）に示すように、第１項目に係る最大値（１２文字）を超えた末尾３文字が削除されて１２文字までが表示される。
【００４４】
（１−４）ボタン毎のサイズを調整する場合
第２項目での調整方法として、ボタン毎のサイズに金融機関名の文字数に合わせて対応する調整方法が設定されている場合には、各ボタン上に表示する文字数に合わせてボタンのサイズを最小化して表示する。この際、文字のサイズは変更しない。ここで、第１項目に係る最大値（１２文字）を超えた文字数の金融機関名は、最小化処理により、ボタンサイズはむしろ標準サイズより大きくなる。若しくは、第１項目に係る最大値（１２文字）を超えた文字数の金融機関名は、第１項目に係る最大値（１２文字）に対応するボタンサイズとし、超えた文字数を削除するようにしても良い。このボタン毎のサイズの調整方法によれば、調整しない場合において、ボタン上の余白部分であった領域に他のボタンを表示することができるため、１画面に表示できるボタンを増やすことができる。
【００４５】
図９は、このような調整がなされた場合となされない場合との金融機関名選択画面の例を示している。同じ１０個のボタンを表示する場合、図９（Ｂ）に示すボタン毎のサイズを調整した方が、図９（Ａ）に示すボタン毎のサイズを調整しない方法より、全てのボタンの表示に割かれる領域が少なくて済む。このことは、同一画面により多くのボタンを表示できることを意味している。
【００４６】
図９の例では、ボタン毎のサイズを変更する際、文字のサイズは標準にまま変更しない場合を示しているが、ボタン毎のサイズを変更すると共に、文字のサイズも１又は２段階大きめのサイズにするようにしても良い。
【００４７】
金融機関名選択画面のサイズ調整が不要な場合や、以上のようなサイズ調整処理を行った後には、主制御部２０は、振込先の金融機関を選択させる金融機関名選択画面を表示・入力部２１に表示させ、顧客が操作したボタンから、振込先の金融機関名を把握する（ステップＳ１０６）。
【００４８】
次に、主制御部２０は、選択された金融機関の本支店名のカナ表記における頭文字を選択させるカナ文字ボタンの一覧を含む本支店頭文字選択画面（図５に示した金融機関頭文字選択画面と同様な構成の画面）を表示・入力部２１に表示させ、顧客が操作したボタンから、振込先の本支店名の頭文字を把握する（ステップＳ１０７）。例えば、顧客が選択した金融機関に属する本支店の頭文字として存在しないカナ文字のボタンを表示しないようにしても良い。この場合、本支店名の頭文字として存在するカナ文字の数に応じて、ボタンのサイズなどを調整するようにしても良い。また、顧客が選択した金融機関に属する本支店が少ない場合には、ステップＳ１０７をスキップして（本支店頭文字選択画面を表示させずに）、後述するステップＳ１０８に移行するようにしても良い。
【００４９】
主制御部２０は、顧客が選択したカナ文字を、カナ表記における頭文字としている本支店名（名称はカナ文字列には限定されない）を全て抽出し、抽出された本支店名の数と、抽出された本支店名の文字数の中で最も多い文字数（最大文字数）とを取得する（ステップＳ１０８）。
【００５０】
そして、主制御部２０は、取得した情報を適用して、本支店名を選択させる選択画面として、図２に示したボタン調整用設定データ３０ｃの第１項目（標準方法）を適用できるか否かを判別する（ステップＳ１０９）。表示文字数をパラメータとしてボタンサイズなどを調整することが設定されている場合であれば、主制御部２０は、このステップＳ１０９において、抽出された本支店名の最大文字数と、ボタン調整用設定データ３０ｃの第１項目に係る最大値とを比較し、最大文字数が第１項目に係る最大値以下であれば、本支店名を選択させる選択画面として標準方法を適用できるとして、後述するステップＳ１１１に移行し、最大文字数が第１項目に係る最大値を超えていれば、本支店名を選択させる選択画面としてボタンサイズなどを調整した画面を表示させるべく、後述するステップＳ１１０に移行する。
【００５１】
以上では、金融機関名の選択時に適用する第１項目に係る最大値と、本支店名の選択時に適用する第１項目に係る最大値とが同じものを示したが、金融機関名の選択時に適用する第１項目に係る最大値と、本支店名の選択時に適用する第１項目に係る最大値とを異なる値に定めておくようにしても良い。
【００５２】
主制御部２０は、本支店名を選択させる選択画面として、第１項目（標準方法）を適用できない場合には、第２項目による調整を行う（ステップＳ１１０）。
【００５３】
本支店名の選択画面についての第２項目での調整方法としては、金融機関名の選択画面の調整方法と同様に、「文字サイズ縮小」、「ボタンサイズ拡大」、「超過文字削除」、「ボタン毎のサイズ調整」がある。それぞれの調整方法は、金融機関名の選択画面の調整方法と同様であるので、その詳細説明は省略する。
【００５４】
本支店名選択画面のサイズ調整が不要な場合や、サイズ調整処理を行った後には、主制御部２０は、振込先の本支店を選択させる本支店名選択画面を表示・入力部２１に表示させ、顧客が操作したボタンから、振込先の本支店名を把握する（ステップＳ１１１）。
【００５５】
これ以降の振込取引動作は、既存の自動取引装置と同様であるので、その説明は省略する。
【００５６】
以上では、表示文字数をパラメータとしてボタンサイズなどを調整することが設定されている場合の動作を説明したが、次に、表示画面数をパラメータとしてボタンサイズなどを調整することが設定されている場合の動作を説明する。
【００５７】
この場合も、ステップＳ１０３までの処理は、表示文字数をパラメータとしてボタンサイズなどを調整することが設定されている場合と同様である。
【００５８】
主制御部２０は、ステップＳ１０３で取得した情報を適用して、金融機関名を選択させる選択画面として、図２に示したボタン調整用設定データ３０ｃの第１項目（標準方法）を適用できるか否かを判別するが（ステップＳ１０４）、表示画面数をパラメータとしてボタンサイズなどを調整することが設定されている場合、ステップＳ１０３で取得した金融機関数と１画面のボタン表示数から必要な表示画面数を算出し、算出した表示画面数が第１項目の最大値（３）を超える場合には、金融機関名を選択させる選択画面としてボタンサイズなどを調整した画面を表示させるべく、ステップＳ１０５に移行し、算出した表示画面数が第１項目の最大値（３）以下の場合には、金融機関名を選択させる選択画面として標準方法を適用できるとして、ステップＳ１０６に移行する。
【００５９】
主制御部２０は、金融機関名を選択させる選択画面として、第１項目（標準方法）を適用できない場合には、第２項目による調整を行う（ステップＳ１０５）。以下の説明で用いる金融機関名選択画面（図１０及び図１１参照）の表示自体は、ステップＳ１０６の処理で実行される。
【００６０】
（２−１）文字サイズとボタンサイズを縮小する場合
第２項目での調整方法として、文字サイズ及びボタンサイズを縮小して対応する調整方法が設定されている場合には、文字サイズとボタンサイズを縮小することにより、１画面で表示できるボタン数を多くすることにより、表示画面数の増加を防止する。例えば、標準文字サイズより１段階小さい文字サイズを適用し、その文字サイズの文字が所定文字数収まるようにボタンサイズを決定し（ボタンサイズの長さ及び幅を決定する）、決定したボタンサイズを適用した場合、表示画面数が何画面になるか算出する。算出された画面が第１項目の最大値（３）以下であれば、調整作業を終了する。一方、算出された画面が第１項目の最大値（３）を超えていれば、文字サイズとして１段階小さいものを適用して同様な処理を行う。但し、縮小文字サイズとして適用できる最小文字サイズ（１０ｐｔ）が、図２に示すように決まっている。
【００６１】
図１０は、このような調整がなされた場合となされない場合との金融機関名選択画面の例を示している。調整しない場合には、１０個のボタンが１表示画面に含まれるのに対して、上述した調整を行うことにより、１２個のボタンを１表示画面に含めることができるようになっている。
【００６２】
（２−２）ボタン上の文字数を削減してボタンサイズを縮小する場合
第２項目での調整方法として、ボタン上の文字数を削減してボタンサイズを縮小して対応する調整方法が設定されている場合には、１ボタン当たりの表示文字数を、標準文字数から予め決められている少ない文字数（図２に示すように下限値は予め定められている）に削減し、１画面で表示できるボタン数を多くすることにより、表示画面数の増加を防止する。この際、文字サイズは変更しない。
【００６３】
図１１は、このような調整がなされた場合となされない場合との金融機関名選択画面の例を示している。図１１の例では、１ボタン当たりの表示文字数を１５文字から９文字に変更している。調整しない場合には、１０個のボタンが１表示画面に含まれるのに対して、上述した調整を行うことにより、１５個のボタンを１表示画面に含めることができるようになっている。
【００６４】
図１１は、１行当たり２個のボタンから、１行当たり３個のボタンになるように調整したものであるが、このような調整でも、表示画面数が、第１項目の最大値（３）より大きく超えるような場合であれば、１行当たり４個のボタンになるようにボタン上の文字数を削減するようにしても良い。
【００６５】
表示画面数をパラメータとしてボタンサイズなどを調整することが設定されている場合も、ステップＳ１０６〜Ｓ１０８の処理は、表示文字数をパラメータとしてボタンサイズなどを調整することが設定されている場合と同様である。
【００６６】
主制御部２０は、取得した情報を適用して、本支店名を選択させる選択画面として、図２に示したボタン調整用設定データ３０ｃの第１項目（標準方法）を適用できるか否かを判別するが（ステップＳ１０９）、表示画面数をパラメータとしてボタンサイズなどを調整することが設定されている場合、ステップＳ１０８で取得した本支店数と１画面のボタン表示数から必要な表示画面数を算出し、算出した表示画面数が第１項目の最大値（３）を超える場合には、本支店名を選択させる選択画面としてボタンサイズなどを調整した画面を表示させるべく、ステップＳ１１０に移行し、算出した表示画面数が第１項目の最大値（３）以下の場合には、金融機関名を選択させる選択画面として標準方法を適用できるとして、ステップＳ１１１に移行する。
【００６７】
以上では、表示画面数をパラメータとしてボタンサイズなどを調整することが設定されている場合も、金融機関名の選択時に適用する第１項目に係る最大値と、本支店名の選択時に適用する第１項目に係る最大値とが同じものを示したが、金融機関名の選択時に適用する第１項目に係る最大値と、本支店名の選択時に適用する第１項目に係る最大値とを異なる値に定めておくようにしても良い。
【００６８】
主制御部２０は、本支店名を選択させる選択画面として、第１項目（標準方法）を適用できない場合には、第２項目による調整を行うが（ステップＳ１１０）、この調整方法としては、金融機関名の選択画面の調整方法と同様に、「文字サイズ縮小によるボタンサイズ縮小」、「表示文字数の削減によるボタンサイズ縮小」がある。それぞれの調整方法は、金融機関名の選択画面の調整方法と同様であるので、その詳細説明は省略する。
【００６９】
本支店名選択画面のサイズ調整が不要な場合や、サイズ調整処理を行った後には、主制御部２０は、振込先の本支店を選択させる本支店名選択画面を表示・入力部２１に表示させ、顧客が操作したボタンから、振込先の本支店名を把握する（ステップＳ１１１）。
【００７０】
以上では、金融機関名の選択画面の調整方法と本支店名の選択画面の調整方法とが同じであるように説明したが、これらの調整方法を異なるように設定しても良い。例えば、金融機関名の選択画面の調整方法として、表示文字数に係る第２項目の「文字サイズ縮小」を設定し、本支店名の選択画面の調整方法として、表示文字数に係る第２項目の「ボタンサイズ拡大」を設定するようにしても良い。また例えば、金融機関名の選択画面の調整方法として、表示文字数に係る第２項目の「文字サイズ縮小」を設定し、本支店名の選択画面の調整方法として、表示画面数に係る第２項目の「表示文字数の削減によるボタンサイズ縮小」を設定するようにしても良い。
【００７１】
（Ａ−３）実施形態の効果
上記実施形態によれば、標準的な名称選択画面（金融機関名選択画面及び本支店名選択画面をまとめてこのように呼ぶ）を第１の選択画面としながら、標準的な名称選択画面の適用要件を充足しない場合には、複数ある調整方法のうち、予め設定された調整方法を適用して名称選択画面における名称選択ボタンに係るサイズや配置などを変更するようにしたので、顧客によって適切な名称選択画面を提示でき、顧客の操作性を向上させることができる。
【００７２】
すなわち、上記実施形態によれば、標準的な名称選択画面を含めて、７種類の名称選択画面の中から選択しているので、顧客によって見易い適切な名称選択画面を提示できる。
【００７３】
（Ｂ）他の実施形態
上記実施形態の説明でも、種々変形実施形態に言及したが、さらに以下に例示するような変形実施形態を挙げることができる。
【００７４】
上記実施形態では、金融機関名選択画面も本支店名選択画面も、第２項目による調整が可能なものを示したが、金融機関名選択画面及び本支店名選択画面の一方のみが第２項目による調整が可能で、他方が標準的な名称選択画面を常時適用するものであっても良い。
【００７５】
上記実施形態では、第１項目から第２項目への移行条件は、第２項目のいずれの種類についても同一であったが、第２項目への移行条件を、第２項目の種類ごとに変えるようにしても良い。例えば、「文字サイズ縮小」への移行条件は最大文字数が１３及び１４文字、「ボタンサイズ拡大」への移行条件は最大文字数が１３〜１５文字、「超過文字削除」への移行条件は最大文字数が１５文字以上、「ボタン毎のサイズ調整」への移行条件は最大文字数が１３文字以上のように定めるようにしても良い。このような場合には、第２項目の種類間にも適用順序を定めることを要する。
【００７６】
上記実施形態では、金融機関名選択画面及び本支店名選択画面としてどのような画面を適用するかを、金融機関側で設定するものを示したが、顧客が選択し得るようにしても良い。例えば、標準の選択画面をデフォルト画面として表示させると共に、その画面中に、「文字サイズ縮小」、「ボタンサイズ拡大」、「超過文字削除」、「ボタン毎のサイズ調整」などのボタンも表示させ、これら４つのボタンのいずれかが操作されたときには、ボタンの表記に係る選択画面に切り替えるようにしても良い。切り替えた選択画面中には、「標準」と、残った３つのボタンとが表記される。
【００７７】
以上のように、顧客に名称選択画面の構成を選択させた際には、口座データにその選択データをも含めておき、その顧客が口座残高を利用した新たに振込取引を実行しようとしたときには、口座データに挿入されている名称選択画面の構成に基づき、その構成を有する名称選択画面をデフォルト画面とするようにしても良い。また、顧客に名称選択画面の構成を選択させた振込取引が終了し、「連続」か「振込完了」かを顧客に選択させ、「連続」が選択されて次の振込取引に進んだ際には、その新たな振込取引における名称選択画面は直前の振込取引における名称選択画面の構成とするようにしても良い。
【００７８】
上記実施形態では、どの金融機関種別が選択されても、第２項目に係る金融機関名選択画面（調整方法）が同じものを示したが、金融機関種別毎に、第２項目に係る金融機関名選択画面を設定し得るようにしても良い。同様に、金融機関毎に、第２項目に係る本支店名選択画面を設定し得るようにしても良い。
【００７９】
上記実施形態では、自動取引装置に本発明を適用したものを示したが、本発明の適用対象は自動取引装置に限定されるものではない。例えば、インターネットバンキングにおける振込取引で振込先を入力する場合に本発明を適用することができる。また例えば、ネット決済システムで決済口座を入力する際に本発明を適用することができる。さらに、例えば、公共料金等の自動振替の契約を行う自動振替契約システムで、振替元や振替先の口座情報を入力する際に本発明を適用することができる。
【符号の説明】
【００８０】
１…自動取引装置、２…表示・入力部、２０…主制御部、３０…メモリ部、３０ａ…振込取引プログラム、３０ｂ…振込先入力用ファイルデータ、３０ｃ…ボタン調整用設定データ。
【図１】
0005817501.tif 000002
【図２】
0005817501.tif 000003
【図３】
0005817501.tif 000004
【図４】
0005817501.tif 000005
【図５】
0005817501.tif 000006
【図６】
0005817501.tif 000007
【図７】
0005817501.tif 000008
【図８】
0005817501.tif 000009
【図９】
0005817501.tif 000010
【図１０】
0005817501.tif 000011
【図１１】
0005817501.tif 000012